(57)【要約】【課題】従来のもつメガホンの特性上肉声入力に対して、拡声増幅の対比が特性を改良し的確な伝達特性を向上させること。【解決手段】テイパ筒を数段組合せ、中央部の筒内部に螺旋状に共鳴板を接合し音波の流れを制御され、渦状の音波がテイパ筒の広がった上部に装着した反射共鳴板に当たり、声音が一段と拡声器として発揮される、音声入力部と口当て部の密着によって音圧部に指向性をもち導音壁内部奥に対象に貫通穴を施す事で高音域が満たされ明瞭性の拡声が増大される。【選択図】      図２
2004354641.tif 000002
【特許請求の範囲】
【請求項１】
肉声が音圧部で音圧化した音波が（７）テイパ状穴を一気に通過する事で高音域が生じ、音波導筒内の（１９）螺旋共鳴板で拡大された音波が（１７）共鳴反射板に当たり、更に共鳴板が大きくなり、共鳴増幅筒に折り返され拡声部へと出力されるこの時高音域波と混声されて拡声器部へと出力され、この事によって明瞭性、拡声性もよく伝播に優れた特徴を持つ携帯用メガホン。
【請求項２】
口あて部の（１）リップハットは容易に交換でき、（２０）滑り止めの突起物を付けることにより、持ち易く使いやすい操作性をもつようにした請求項１記載の携帯用メガホン。
【発明の詳細な説明】
【０００１】
【発明が属する技術分野】
電気の使えない場所で、人の集まる集会場や催し物、スポーツ、教育現場その他各種行事において、手軽に肉声が伝達するためのメガホン、特に肉声が全体に行き渡るようラッパ管状から発する音声を高域化し明瞭性と指向性を重視した携帯用メガホンで、口当て部の感触を良く密着させる為楕円形に形成し、さらにリップハットを装着した接着部は衛生面の観点から容易に交換できる構造を有している。
【０００２】
音圧部は肉声が音圧化し一気に音波導筒へ流れ込み螺旋共鳴板に当たり振幅が増大する。
【０００３】
高域孔は、肉声が音圧部で音圧化した音波がテイパ状穴を返し、早い速度で通過し高音域となり、高音層をへて高域出力穴から反響増幅筒の音声とが混合声音され拡声器部へと出力される。
【０００４】
音波導筒は、内部に螺旋共鳴板を施すことにより、入力された肉声の声音圧で共鳴板が共振し、円筒内の螺旋共鳴板で振幅が増強され、声音圧が共鳴反射板にあたり、共鳴反射板が声音圧の強弱にしたがって共鳴をし、反響増幅器（筒）をへて、拡声器部へと放出される。
【０００５】
共鳴反射板の機能は、音波導筒から出た音圧に従って共振し音波を強くし、反響増幅器筒に当て音声振動を増大させる。
【０００６】
【従来の技術】
特開平０９−２２２９０、特開２００１−１０９４７８、実開昭６０−７０８９４、実開昭６２−８１９９９、実用登録３０６５４３７、（報告番号１２９）等存在するが、この種のメガホンは、口当て部から入力された音声波振動を共鳴、反射によって拡声部を介しラッパ状の声音部より出力されるが、構造上拡声率に限界がある他、入力音声が吸い込まれず拡散してしまいメガホンとしての機能に欠点を有していた。
【０００７】
【発明が解決しようとする課題】
この発明は、従来の機能に無い構造で拡声と指向性および明瞭性、通達性、拡声率を向上させるためになされた発明である。
【０００８】
【課題を解決するための手段】
本器は長時間使っても、口当て部をソフトに密着し衛生面を考慮に入れ、容易に交換できるほか、声帯に負担がかからないように口当て部から入力された音声波を音圧部から、音波導筒内部の螺旋共鳴板を共振させ、増大された渦状の音波が共鳴反射板にぶつかり共に共振し音波が共鳴反射板で折り返し、反響増幅部筒で再び増幅となって拡声部へと流れる、この時に音圧部の貫通穴をかえして、高域層に通じ、高域出力から音声が混合声となって、歪むことなく出力の音声拡大と明瞭性、指向性、通達などが向上した。
【０００９】
【発明の実施の形態】
図１は成作の実例である携帯用メガホンの全体の斜視図で、図２は側断面図である。
図２において、１はリップハット。２は口当て部。１、３、４、６、７、９、１７、１９、２０は本発明を構成する要部で１はその都度簡単に脱着、３は音声を高密度に維持する音圧部、４は高温を取り出す導音壁、６は高音を制圧する高音層、７は高音を通過させる高域穴、９は高音と中低音を混声させる高域出力穴、１７は円錐筒内に共鳴板を螺旋状にネジって入れた事によって、入力された音波が渦状になり共鳴率が増大し、音波導筒で発生した渦状の音波が共鳴反射板にあたり増強の共振をなす。
一般的に構造全体が硬質プラスチックで構成するが、リップハット１は合成ゴム等の軟らかな材質、１９は共振率を伴うので金属片を使用してもよく、２０は使い易くするための滑り止め、用途に応じ防火用のときは全体が金属製の構成となる。
【００１０】
【実地例】
図２、図３は、本器が構成する構造の実施例の断面図で、図中１、４、６、７、９、１７、１９、２０を設ける事によって入力した音声が歪む事なく高域幅があり、明瞭性、指向性などが一段と向上し、感触よく声帯に負担無く伝達にも向上がみられた。
【００１１】
図２で、特に７を経て９の高域出力穴を施す事により高音域が出力された。
【００１２】
図２で、１５支持向器の音波導筒内の螺旋状共鳴板により、音波が通過すると音波の当たる面が増加し大きい共鳴が起きる。この事から明瞭性にとんだ拡声器として十分実用性が望める。
【００１３】
【発明の効果】
本器は、フィットした口当て部から入力された音声を音波導筒内の螺旋共鳴板に入力し、音波が螺旋状で伝播して共鳴反射板にあたり、更に共振が増大した音波が、反響増大部筒で反響を繰り返し高域出力と混声する、これらの総合作用によって指向性も高く、より明瞭な音声が十分拡大した出力で伝達することができた。
【図面の簡単な説明】
【図１】本発明の実施例のメガホンの全体斜視図。
【図２】本発明の実施例のメガホンの断面図。
【図３】発明の実施例の螺旋共鳴板及び共鳴反射板の断面図。
【符号の説明】
１    リップハット
２    口当て部
３    音圧部
４    導音壁
５    音波筒支持部
６    高音層
７    高域穴
８    吊フック
９    高域出力穴
１０  反響増幅部筒接合部
１１  音波反射器
１２  反響増幅筒接合部
１３  反響増幅部筒
１４  音波導筒
１５  支持向器
１６  拡声器部
１７  共鳴反射板
１８  拡声器指向筒
１９  螺旋共鳴板
２０  滑り止め突起物
【図１】
2004354641.tif 000003
【図２】
2004354641.tif 000004
【図３】
2004354641.tif 000005
【手続補正書】
【提出日】平成15年6月3日(2003.6.3)
【手続補正１】
【補正対象書類名】明細書
【補正対象項目名】０００１
【補正方法】変更
【補正の内容】
【０００１】
【発明が属する技術分野】
電気の使えない場所で、人の集まる集会場や催し物、スポーツ、教育現場その他各種行事において、手軽に肉声が伝達するためのメガホン、特に肉声が全体に行き渡るようラッパ管状から発する音声を高域化し明瞭性と指向性を重視した携帯用メガホンで、口当て部の感触を良く密着させる為楕円形に形成し、さらにリップハットを装着した口当て部は衛生面の観点から容易に交換できる構造を有している。


【手続補正２】
【補正対象書類名】明細書
【補正対象項目名】０００９
【補正方法】変更
【補正の内容】
【０００９】
【発明の実施の形態】
図１は作成の実例である携帯用メガホンの全体の斜視図で、図２は側断面図である。
図２において、１はリップハット。２は口当て部。１、３、４、６、７、９、１７、１９、２０は本発明を構成する要部で１はその都度簡単に脱着、３は音声を高密度に維持する音圧部、４は高音を取り出す導音壁、６は高音を制圧する高音層、７は高音を通過させる高域穴、９は高音と中低音を混声させる高域出力穴、１７は円錐筒内に共鳴板を螺旋状にネジって入れた事によって、入力された音波が渦状になり共鳴率が増大し、音波導筒で発生した渦状の音波が共鳴反射板にあたり増強の共振をなす。
一般的に構造全体が硬質プラスチックで構成するが、リップハット１は合成ゴム等の軟らかな材質、１９は共振率を伴うので金属片を使用してもよく、２０は使い易くするための滑り止め、用途に応じ防火用のときは全体が金属製の構成となる。


【手続補正３】
【補正対象書類名】明細書
【補正対象項目名】００１３
【補正方法】変更
【補正の内容】
【００１３】
【発明の効果】
本器は、フイットした口当て部から入力された音声を音波導筒内の螺旋共鳴板に入力し、音波が螺旋状で伝播して共鳴反射板にあたり、更に共振が増大した音波が、反響増幅部筒で反響を繰り返し高域出力と混声する、これらの総合作用によって指向性も高く、より明瞭な音声が十分拡大した出力で伝達することができた。